(57)【要約】【課題】ＰＤＰの駆動時の共振による異音やノイズの発生を防止する。【解決手段】放電空間を介して対向する前面ガラス基板１と背面ガラス基板４との間に、放電空間を放電セルＣに区画する隔壁６と、放電空間の四方の外周縁に沿って形成されて放電空間を密閉するとともに前面ガラス基板１と背面ガラス基板４とを互いに固定する封着層８が設けられ、隔壁６が、背面ガラス基板４上に設けられているとともに、封着層８に対向する縁部分に封着層８との間隔を隔壁の縁部に沿って変化させる突出部分が形成され、この突出部分が他方の基板側に当接されている。【選択図】図３
2009123652.tif 000002
【特許請求の範囲】
【請求項１】
放電空間を介して対向する前面基板と背面基板との間に、放電空間を単位発光領域毎に区画する隔壁と、放電空間の四方の外周縁に沿って形成されて放電空間を密閉するとともに前面基板と背面基板とを互いに固定する封着層が設けられたプラズマディスプレイパネルにおいて、
前記隔壁が、前面基板と背面基板の内の一方の基板上に設けられているとともに、封着層に対向する縁部分に封着層との間隔を隔壁の縁部に沿って変化させる突出部分が形成され、この突出部分が他方の基板側に当接されていることを特徴とするプラズマディスプレイパネル。
【請求項２】
前記突出部分と封着層との間隔が、隔壁の縁部に沿って任意の周期で変化している請求項１に記載のプラズマディスプレイパネル。
【請求項３】
前記隔壁が、行方向に並ぶ単位発光領域の列毎に略梯子形状に成形されて、隣接する他の隔壁と所要の隙間を介して列方向に互いに平行に並設されており、各略梯子形状の隔壁の端部分が前記突出部分を構成していて、この隔壁の端部分の長さが隣接する隔壁の端部分と互いに異なっている請求項１に記載のプラズマディスプレイパネル。
【請求項４】
前記隔壁の端部分の封着層に対向する端面が、各隔壁の幅方向に沿って端部分と封着層の間隔が変化する形状に成形されている請求項３に記載のプラズマディスプレイパネル。
【請求項５】
前記隔壁の端部分の端面が、封着層側に突出する円弧形状に成形されている請求項４に記載のプラズマディスプレイパネル。
【請求項６】
前記隔壁の端部分の端面が、各隔壁の幅方向における中央の部分が封着層側に突出する三角形状に成形されている請求項４に記載のプラズマディスプレイパネル。
【請求項７】
前記隔壁の端部分の端面が、各隔壁の幅方向における一方の側部側の位置が封着層側に突出する三角形状に成形されている請求項４に記載のプラズマディスプレイパネル。
【請求項８】
前記隔壁の端部分の端面が、封着層と反対側に凹んだ円弧形状に成形されている請求項４に記載のプラズマディスプレイパネル。
【請求項９】
前記隔壁の端部分の端面が、各隔壁の幅方向における中央部が封着層と反対側に凹んだ三角形状に成形されている請求項４に記載のプラズマディスプレイパネル。
【請求項１０】
前記隔壁が略格子形状に成形され、前記突出部分が、略格子形状の隔壁の縁部に沿って隣接する突出部分間で封着層側に突出する長さが異なる大きさに成形されている請求項１に記載のプラズマディスプレイパネル。
【請求項１１】
前記突出部分の封着層に対向する端面が、封着層側に突出する円弧形状に成形されている請求項１０に記載のプラズマディスプレイパネル。
【請求項１２】
放電空間を介して対向する前面基板と背面基板との間に、放電空間を単位発光領域毎に区画する隔壁と、放電空間の四方の外周縁に沿って形成されて放電空間を密閉するとともに前面基板と背面基板とを互いに固定する封着層が設けられたプラズマディスプレイパネルにおいて、
前記隔壁が、前面基板と背面基板の内の一方の基板上に設けられているとともに、行方向に並ぶ単位発光領域の列毎に略梯子形状に成形されて、隣接する他の隔壁と所要の隙間を介して列方向に互いに平行に並設されており、
この略梯子形状の各隔壁の隣接する隔壁に対向する側縁部の少なくとも一方に、隣接する隔壁との間隔を隔壁の側縁部に沿って変化させる突出部分が形成されて、この突出部分が他方の基板側に当接されている、
ことを特徴とするプラズマディスプレイパネル。
【請求項１３】
前記隔壁の突出部分の隣接する隔壁に対向する端面が、各突出部分の幅方向に沿って突出部分と隣接する隔壁との間隔が変化する形状に成形されている請求項１２に記載のプラズマディスプレイパネル。
【請求項１４】
前記突出部分と隣接する隔壁との間隔が、隔壁の側縁部に沿って任意の周期で変化している請求項１２に記載のプラズマディスプレイパネル。
【発明の詳細な説明】
【技術分野】
【０００１】
この発明は、プラズマディスプレイパネルの構造に関する。
【背景技術】
【０００２】
一般に、プラズマディスプレイパネル（以下、ＰＤＰという）は、前面ガラス基板の背面に行方向に延びる複数の行電極対が形成され、前面ガラス基板と放電空間を介して対向する背面ガラス基板に列方向に延びる複数の列電極が形成され、行電極対と列電極が交差する部分の放電空間にそれぞれ放電セルが形成されて隔壁によってそれぞれ区画されており、各放電セル内にそれぞれ放電セル毎に色分けされた赤，緑，青の蛍光体層が形成された構成を備えている。
【０００３】
そして、前面ガラス基板と背面ガラス基板の間には、放電空間の外周縁に沿って放電空間を密閉する封着層が形成されていて、この封着層によって前面ガラス基板と背面ガラス基板が互いに分離不能に固定されている。
一方、背面ガラス基板上に形成されて固定されている隔壁は、その頂部が前面ガラス基板側の構造物に当接されているだけである。
【０００４】
このような構成のＰＤＰでは、行電極対の一方の行電極と列電極との間で選択的にアドレス放電が発生され、このアドレス放電によって選択された放電セル（発光セル）においてサステイン放電が発生されて赤，緑，青の蛍光体層が発光することにより、マトリクス表示による画像形成が行われる。
【０００５】
従来、上記のような構成のＰＤＰは、その駆動時に、各放電セルにおいてアドレス放電やサステイン放電等の各種放電が繰り返されることによって、放電空間に封入された放電ガスの膨張と収縮が繰り返され、さらに、行電極と列電極間に印加される電圧によって生じる静電気力によって、前面ガラス基板と背面ガラス基板間に反発と吸引が繰り返される。
【０００６】
このため、ＰＤＰの駆動時に前面ガラス基板と背面ガラス基板に微小振動が発生し、互いに固定されていない隔壁の頂部と前面ガラス基板側の構造物との間に接触と離間が繰り返えされて異音やノイズが発生し、これによって、ユーザに不快感を与えてしまうという問題があった。
【０００７】
このようなＰＤＰの駆動時の異音やノイズの発生は、隔壁の頂部と前面ガラス基板側の構造物とが点接触しているような場合に、特に顕著である。
【０００８】
従来、このようなＰＤＰの駆動時の基板の振動に伴う異音やノイズの発生を抑制するために、パネルの非表示領域に位置する隔壁の頂部を前面ガラス基板側に固着して前面ガラス基板と背面ガラス基板の振動を抑制しようとしたＰＤＰ（例えば、特許文献１参照）や、パネルの非表示領域に支柱を形成して前面ガラス基板と背面ガラス基板の間隔を一定に保つことにより、隔壁の頂部と前面ガラス基板側とを面接触させて基板の振動に伴う異音やノイズの発生を抑制しようとしたＰＤＰ（例えば、特許文献２参照）等が提案されている。
【０００９】
しかしながら、ＰＤＰには、図１および２に示されるように、前面ガラス基板Ｐ１と背面ガラス基板Ｐ２の間に形成された隔壁Ｗの端部と封着層Ｓとの間や略梯子形状に成形された隔壁Ｗのそれぞれの間に、排気や放電ガスの導入のための隙間が形成されており、このそれぞれの隙間の間隔を共振スパンとするＰＤＰの基本構造に起因する共振モードが存在している。
【００１０】
このため、この隔壁Ｗの端部と封着層Ｓの間の部分や各隔壁Ｗの間の隙間部分において発生する共振周波数が可聴帯域内に入ってくる場合があり、上記のような従来のＰＤＰでは、ＰＤＰの基本構造に起因する共振による振動音の発生を十分に防止することは出来ない。
【００１１】
【特許文献１】特開２００１−１７６４０３号公報
【特許文献２】特許３６８６９２２号公報
【発明の開示】
【発明が解決しようとする課題】
【００１２】
この発明は、上記のような従来のＰＤＰが有している問題点を解決することをその技術的課題の一つとしている。
【課題を解決するための手段】
【００１３】
第１の発明によるＰＤＰは、上記目的を達成するために、放電空間を介して対向する前面基板と背面基板との間に、放電空間を単位発光領域毎に区画する隔壁と、放電空間の四方の外周縁に沿って形成されて放電空間を密閉するとともに前面基板と背面基板とを互いに固定する封着層が設けられたプラズマディスプレイパネルにおいて、前記隔壁が、前面基板と背面基板の内の一方の基板上に設けられているとともに、封着層に対向する縁部分に封着層との間隔を隔壁の縁部に沿って変化させる突出部分が形成され、この突出部分が他方の基板側に当接されていることを特徴としている。
【００１４】
第２の発明によるＰＤＰは、前記目的を達成するために、放電空間を介して対向する前面基板と背面基板との間に、放電空間を単位発光領域毎に区画する隔壁と、放電空間の四方の外周縁に沿って形成されて放電空間を密閉するとともに前面基板と背面基板とを互いに固定する封着層が設けられたプラズマディスプレイパネルにおいて、前記隔壁が、前面基板と背面基板の内の一方の基板上に設けられているとともに、行方向に並ぶ単位発光領域の列毎に略梯子形状に成形されて、隣接する他の隔壁と所要の隙間を介して列方向に互いに平行に並設されており、この略梯子形状の各隔壁の隣接する隔壁に対向する側縁部の少なくとも一方に、隣接する隔壁との間隔を隔壁の側縁部に沿って変化させる突出部分が形成されて、この突出部分が他方の基板側に当接されていることを特徴としている。
【発明を実施するための最良の形態】
【００１５】
第１の発明は、放電空間を介して対向する前面ガラス基板と背面ガラス基板との間に、放電空間を放電セル毎に区画する隔壁と、放電空間の四方の外周縁に沿って形成されて放電空間を密閉するとともに前面ガラス基板と背面ガラス基板とを互いに固定する封着層が設けられ、隔壁が、背面ガラス基板上に設けられているとともに、封着層に対向する縁部分に封着層との間隔を隔壁の縁部に沿って変化させる突出部分が形成され、この突出部分が前面ガラス基板側に当接されているＰＤＰを、その最良の実施形態としている。
【００１６】
この実施形態によるＰＤＰは、隔壁の縁部に形成された前面ガラス基板側に当接される突出部分によって、隔壁の封着層に対向する縁部と封着層と間隔が縁部に沿った各部分で異なっていることにより、隔壁と封着層との間に形成される共振モード、すなわち、特定の周波数に集中する構造物の固有振動数が隔壁の部分毎に異なってくる。
【００１７】
これによって、このＰＤＰの特定の周波数に集中する構造物の固有振動数が分散されて特定の共振モードに集中するのが防止されるので、ＰＤＰ全体の共振レベルを低減させて、基板の共振に伴う異音やノイズの発生を防止することが出来る。
【００１８】
上記実施形態において、隔壁の縁部に形成される突出部分は、この突出部分と封着層との間隔が隔壁の縁部に沿って任意の周期で変化するように形成するのが好ましい。
また、上記実施形態において、隔壁を行方向に並ぶ単位発光領域の列毎に略梯子形状に成形して隣接する他の隔壁と所要の隙間を介して列方向に互いに平行に並設し、各略梯子形状の隔壁の端部分によって各突出部分を構成し、この隔壁の端部分の長さを隣接する隔壁の端部分と互いに異なるようにするのが好ましい。
そして、この実施形態において、隔壁の端部分の封着層に対向する端面を、各隔壁の幅方向に沿って端部分と封着層の間隔が変化する形状に成形するのが好ましい。
【００１９】
この形態の突出部分によれば、各突出部分毎にそれぞれの端面に沿ってＰＤＰの共振スパンとなる封着層との間の間隔が変化しており、特定の周波数に集中する構造物の固有振動数が各隔壁の端部における位置で異なってくるため、このＰＤＰの特定の周波数に集中する構造物の固有振動数がさらに分散されて特定の共振モードに集中するのが防止されるので、ＰＤＰ全体の共振レベルをさらに低減させて、基板の共振に伴う異音やノイズの発生をさらに防止することが出来る。
【００２０】
このような突出部分の端面の形状としては、封着層側に突出する円弧形状や、各隔壁の幅方向における中央の部分が封着層側に突出する三角形状，各隔壁の幅方向における一方の側部側の位置が封着層側に突出する三角形状，封着層と反対側に凹んだ円弧形状，各隔壁の幅方向における中央部が封着層と反対側に凹んだ三角形状等が挙げられる。
【００２１】
また、上記実施形態において、隔壁を略格子形状に成形し、突出部分を、略格子形状の隔壁の縁部に沿って隣接する突出部分間で封着層側に突出する長さが異なる大きさに成形するのが好ましく、さらに、突出部分の封着層に対向する端面を、封着層側に突出する円弧形状に成形するのが好ましい。
【００２２】
この実施形態におけるＰＤＰも、特定の周波数に集中する構造物の固有振動数が分散されて特定の共振モードに集中するのが防止されるので、ＰＤＰ全体の共振レベルを低減させて、基板の共振に伴う異音やノイズの発生を防止することが出来る。  
【００２３】
第２の発明は、放電空間を介して対向する前面ガラス基板と背面ガラス基板との間に、放電空間を放電セル毎に区画する隔壁と、放電空間の四方の外周縁に沿って形成されて放電空間を密閉するとともに前面ガラス基板と背面ガラス基板とを互いに固定する封着層が設けられ、隔壁が、背面ガラス基板上に設けられているとともに、行方向に並ぶ放電セルの列毎に略梯子形状に成形されて、隣接する他の隔壁と所要の隙間を介して列方向に互いに平行に並設されており、この略梯子形状の各隔壁の隣接する隔壁に対向する側縁部の少なくとも一方に、隣接する隔壁との間隔を隔壁の側縁部に沿って変化させる突出部分が形成されて、この突出部分が他方の基板側に当接されているＰＤＰを、その最良の実施形態としている。
【００２４】
この実施形態のＰＤＰによれば、略梯子形状の各隔壁の上縁部に形成された突出長さが互いに異なっている突出部分によって、各突出部分と隙間を介して対向する隣接する他の隔壁との間の共振スパンとなる間隔が互いに異なっており、これによって、隙間を介して互いに対向する隣接する隔壁の間の部分に形成される共振モード、すなわち、特定の周波数に集中する構造物の固有振動数が、隔壁の部分毎に異なってくる。
【００２５】
これによって、このＰＤＰの特定の周波数に集中する構造物の固有振動数が、隙間を介して互いに隣接する隔壁間において分散されて特定の共振モードに集中するのが防止されるので、ＰＤＰ全体の共振レベルをさらに低減させて、基板の共振による異音やノイズの発生を抑制することが出来る。
【００２６】
上記実施形態において、隔壁の突出部分の隣接する隔壁に対向する端面を、各突出部分の幅方向に沿って突出部分と隣接する隔壁との間隔が変化する形状に成形するのが好ましい。
【００２７】
これによって、各突出部分のそれぞれの端面に沿って共振スパンとなる隣接する他の隔壁との間の間隔がさらに変化するので、特定の周波数に集中する構造物の固有振動数が各突出部分における位置で異なってくるため、ＰＤＰの特定の周波数に集中する構造物の固有振動数が、隙間を介して互いに隣接する隔壁間においてさらに分散されて特定の共振モードに集中するのが防止されるので、ＰＤＰ全体の共振レベルをさらに低減させて、基板の共振による異音やノイズの発生をさらに抑制することが出来る。
【００２８】
また、上記実施形態において、突出部分と隣接する隔壁との間隔を、隔壁の側縁部に沿って任意の周期で変化させるようにするのが好ましい。
【実施例１】
【００２９】
図３および４はこの発明によるＰＤＰの実施形態における第１実施例を示しており、図３はこの実施例のＰＤＰを前面ガラス基板を取り外した状態で示す平面図、図４はＰＤＰを図３のＶ−Ｖ線の位置で断面した図である。
【００３０】
この図３および４において、表示面である前面ガラス基板１の背面に、行方向（図４の紙面に対して垂直方向）に延びる複数の行電極対（Ｘ，Ｙ）が列方向（図４の左右方向）に平行に並設されている。
【００３１】
前面ガラス基板１の背面には、さらに、行電極対（Ｘ，Ｙ）を被覆する誘電体層２が形成され、この誘電体層２の背面に保護層３が形成されて誘電体層２の背面が被覆されている。
【００３２】
この前面ガラス基板１には、放電空間を介して背面ガラス基板４が平行に対向されており、この背面ガラス基板４の前面ガラス基板１に対向する側（表示側）の面上に、列方向に延びる列電極Ｄが列方向に平行に並設されている。
【００３３】
背面ガラス基板４の表示側の面上には、さらに、列電極Ｄを被覆する列電極保護層５が形成され、この列電極保護層５上に、各行電極対（Ｘ，Ｙ）に対向する部分毎に、それぞれ行方向に延びる一対の横壁とこの一対の横壁間を列方向に延びる複数の縦壁とによって略梯子形状に形成された複数の隔壁６が形成されている。
【００３４】
この隔壁６は、それぞれ隣接する他の隔壁と行方向に延びる隙間ＳＬを介して互いに平行に列方向に並設されており、この各隔壁６によって、前面ガラス基板１と背面ガラス基板４の間の放電空間が各行電極対（Ｘ，Ｙ）と列電極Ｄが交差する部分毎に区画されて、前面ガラス基板１によって構成されるパネル面に沿ってマトリクス状に配置された複数の方形の放電セルＣが形成されている。
この隔壁６の構成については、後で詳述する。
【００３５】
各放電セルＣ内には、各放電セルＣ毎に赤，緑，青に色分けされた蛍光体層７が形成されている。
そして、前面ガラス基板１と背面ガラス基板４の間には、放電空間の四方の外周縁に沿って封着層８が形成されて、この封着層８によって放電空間が密閉されているとともに、前面ガラス基板１と背面ガラス基板４が互いに分離不能に固定されている。
放電空間内には、キセノンを含む放電ガスが封入されている。
【００３６】
上記隔壁６は、それぞれ端部の長さが互いに異なる隔壁６Ａ〜６Ｄを含んでいて、図示の例では隔壁６Ａが一番短く、次いで、隔壁６Ｂ，６Ｃ，６Ｄの順に長くなるように形成されている。
【００３７】
さらに、各隔壁６Ａ〜６Ｄの端部６Ａａ〜６Ｄａは、それぞれの端面が隔壁の長さ方向において外側（封着層８側）方向に突出する円弧形状に成形されている。
従って、各隔壁６Ａ〜６Ｄの端部６Ａａ〜６Ｄａの長さが異なっていることによって、隔壁６Ａ〜６Ｄの端部６Ａａ〜６Ｄａとこの端部に対向する封着層８との間の間隔Ｌ１〜Ｌ４は、隔壁６Ａの端部６Ａａと封着層８間の間隔Ｌ１が一番長く、次いで、隔壁６Ｂの端部６Ｂａと封着層８間の間隔Ｌ２，隔壁６Ｃの端部５Ｃａと封着層８間の間隔Ｌ３，隔壁６Ｄの端部６Ｄａと封着層８間の間隔Ｌ４の順に、短くなっている。
【００３８】
隔壁６Ａ〜６Ｄの端部６Ａａ〜６Ｄａの端面が円弧形状に成形されていることによって、各隔壁６Ａ〜６Ｄにおいて、それぞれの端部６Ａａ〜６Ｄａの頂部と封着層８間の間隔が一番短く、この頂部から隔壁の幅方向外側（図３において上方側または下方側）にゆくにしたがって長くなっている。
【００３９】
この各隔壁６Ａ〜６Ｄは、６Ａ−６Ｂ−６Ｃ−６Ｄ−６Ｃ−６Ｂ−…というように、列方向に端部６Ａａ〜６Ｄａの長さが順に長くなった後に順に短くなって、端部６Ａａ〜６Ｄａと封着層８との間の間隔が周期的に変化するように配置されている。
この隔壁６Ａ〜６Ｄは、何れも本体部分と円弧状の端部の頂面が前面ガラス基板１側に形成された保護層３の背面に当接されている。
【００４０】
このＰＤＰは、行電極対（Ｘ，Ｙ）の一方の行電極Ｙと列電極Ｄ間で選択的にアドレス放電が発生され、このアドレス放電によって選択された放電セル（発光セル）Ｃにおいて行電極対（Ｘ，Ｙ）の行電極ＸとＹ間でサステイン放電が発生されて赤，緑，青の蛍光体層７を発光させることにより、マトリクス表示による画像を形成する。
【００４１】
一般的に、ＰＤＰのような構造物は、下記のような共振周波数ｆを持っている。
【００４２】
ｆ＝（１．０２８／Ｌ2）×√（ＥＨ2／β）
Ｅ：構造物（ガラス基板等）のヤング率
β：構造物（ガラス基板等）の密度
Ｈ：構造物（ガラス基板等）の高さ（厚さ）
Ｌ：共振スパン
【００４３】
そして、ＰＤＰにおいて、前面ガラス基板１側の構造物と背面ガラス基板４側の構造物との間に接触している部分と接触していない部分が存在すると、接触している部分の間に橋渡しのような共振構造が形成されて、ＰＤＰの駆動時に共振による振動が発生することになる。
【００４４】
上記ＰＤＰは、前述したように、各隔壁６Ａ〜６Ｄの端部６Ａａ〜６Ｄａの長さが異なっていることによって、隔壁６Ａ〜６Ｄの端部６Ａａ〜６Ｄａとこの端部に対向する封着層８との間の共振スパンとなる間隔Ｌ１〜Ｌ４が互いに異なっており、これによって、各隔壁６Ａ〜６Ｄの端部６Ａａ〜６Ｄａと封着層８との間の部分に形成される共振モード、すなわち、特定の周波数に集中する構造物の固有振動数が、各隔壁６Ａ〜６Ｄ間で異なってくる。
【００４５】
さらに、隔壁６Ａ〜６Ｄの端部６Ａａ〜６Ｄａの各端面が円弧形状に成形されていることによって、各隔壁６Ａ〜６Ｄにおいて、それぞれの端部の円弧形の端面に沿って共振スパンとなる封着層８との間の間隔が変化しており、特定の周波数に集中する構造物の固有振動数が、各隔壁６Ａ〜６Ｄの端部６Ａａ〜６Ｄａにおける位置で異なってくる。
【００４６】
これによって、このＰＤＰの特定の周波数に集中する構造物の固有振動数が分散されて特定の共振モードに集中するのが防止されるので、ＰＤＰ全体の共振レベルを低減させて、基板の共振に伴う異音やノイズの発生を防止することが出来る。
【００４７】
図５は、上記ＰＤＰの振動スペクトラムを示している。
【００４８】
上記ＰＤＰは、隔壁６Ａ〜６Ｄの端部６Ａａ〜６Ｄａとこの端部に対向する封着層８との間の共振スパンとなる間隔Ｌ１〜Ｌ４が互いに異なっていることによって、各隔壁の端部の長さが同じであるＰＤＰの場合と比べて振幅レベル値が小さい複数の共振周波数の基本成分ｆｌ，ｆ２，ｆ３…を有しているとともに、これら共振周波数の基本成分の干渉によるインタ・モジュレーション（ｆ２−ｆｌ），（ｆ３−ｆ２），（ｆ３−ｆｌ）…が低周波数領域に発生する。
【００４９】
上記ＰＤＰは、さらに、各隔壁６Ａ〜６Ｄの端部６Ａａ〜６Ｄａの端面が円弧形状に成形されていて、封着層８との間の間隔が各隔壁６Ａ〜６Ｄの端面に沿って変化して、共振スパンが、（Ｌｌｌ〜Ｌ１２），（Ｌ２１〜Ｌ２２），（Ｌ３１〜Ｌ３２）…というように広く変化しているため（図３参照）、これにともなって、共振周波数の基本成分が、（ｆｌｌ〜ｆ１２），（ｆ２１〜ｆ２２），（ｆ３１〜ｆ３２）…というように分散したものとなる。
【００５０】
図６は、各隔壁の端部の長さは互いに異なるが、それぞれの端面の形状が封着層と平行な直線状に成形されているＰＤＰの振動スペクトラムを示しており、このＰＤＰは、共振周波数の基本成分ｆ０ｌ，ｆ０２，ｆ０３…を有しているとともにインタ・モジュレーション（ｆ０２−ｆ０ｌ），（ｆ０３−ｆ０２），（ｆ０３−ｆ０ｌ）…を低周波数領域に発生させる。
【００５１】
図５と図６を比較すると、ＰＤＰの各隔壁６Ａ〜６Ｄの端部６Ａａ〜６Ｄａの端面がそれぞれ円弧形状に成形されている図５の方が、共振周波数の基本成分とインタ・モジュレーションのそれぞれの振幅レベル値が、共に、図６の場合よりも小さくなっていることが分かる。
【００５２】
以上のように、上記ＰＤＰは、各隔壁６Ａ〜６Ｄの端部６Ａａ〜６Ｄａの長さが異なっているとともに各端部の端面の形状がそれぞれ円弧形状に成形されていることによって、振幅レベル値が小さく周波数帯域の広い振動スペクトラムを有することになり、これによって、駆動時の共振によるノイズレベルを従来に比べて大幅に低下させることが出来る。
【００５３】
なお、上記においては、隔壁６Ａ〜６Ｄが、列方向に沿って端部の長さが短い順に配置され次に長い順に配置される周期的な配置になっている例が示されているが、隔壁６Ａ〜６Ｄの配置はこれに限られず、端部の長さが短い順に配置された後に再度また短い順に配置される配置や、アットランダムな配置等、種々の配置の態様が可能である。
さらに、上記においては、隔壁の端部が四種類の長さに設定されている例が示されているが、これに限らず、隔壁の端部の長さの種類は任意に設定が可能である。
【００５４】
図７は、上記ＰＤＰにおいて、隔壁の端部の形状の変形例を示している。
【００５５】
上記においては、隔壁６Ａ〜６Ｄのそれぞれの端部が隔壁の長さ方向において外側方向に突出する円弧形状に成形されている例が示されている。
【００５６】
これに対し、図７（ａ）は、長さの異なる各隔壁１６の端面１６ａが、頂点が隔壁１６の幅方向の中央に位置するとともに隔壁の長さ方向において外側方向に突出する三角形状に成形されている例を示している。
図７（ｂ）は、長さの異なる各隔壁２６の端面２６ａが、頂点が隔壁２６の幅方向の一方の側部（図示の例では下側の側部）に位置する三角形状に成形されている例を示している。
図７（ｃ）は、長さの異なる各隔壁３６の端面３６ａが、図３の例の場合と反対に、隔壁３６の長さ方向において内側方向に凹んだ円弧形状に成形されている例を示している。
図７（ｄ）は、長さの異なる各隔壁４６の端面４６ａが、図７（ａ）の場合と反対に、頂点が隔壁１６の幅方向の中央に位置するとともに隔壁の長さ方向において内側方向に凹んだ三角形状に成形されている例を示している。
【００５７】
この図７（ａ）〜（ｄ）の隔壁１６〜４６は、それぞれ、何れか一種を用いる様にしても良いし、適宜組み合わせて用いる様にしても良い。
【００５８】
何れの場合においても、各隔壁１６〜４６において、それぞれの端部の端面形状に沿って、共振スパンとなる封着層との間の間隔が変化して特定の周波数に集中する構造物の固有振動数が変化するので、ＰＤＰの特定の周波数に集中する構造物の固有振動数が分散されて特定の共振モードに集中するのが防止されることにより、ＰＤＰ全体の共振レベルを低減させることが出来る。
【実施例２】
【００５９】
図８は、この発明によるＰＤＰの実施形態における第２実施例を示している。
この実施例におけるＰＤＰは、隔壁５６が略格子形状に成形されている。
【００６０】
この隔壁５６の左右の側部（図８には左側部のみ記載されている）に、行方向に並ぶ放電セルＣによって構成される表示ラインＤＬに対向する部分毎に、隔壁５６の側方外側（封着層８に向かう側）に向けて突出する突出部５６ａ〜５６ｃが一体的に形成されている。
【００６１】
この各突出部５６ａ〜５６ｃは、それぞれ円弧形状に成形されているとともに、封着層８側への突出長さが突出部５６ａが一番短く、次いで突出部５６ｂ，５６ｃの順に長くなるように成形されている。
【００６２】
この各突出部５６ａ〜５６ｃの封着層８側への突出長さが異なっていることによって、突出部５６ａ〜５６ｃとこの突出部に対向する封着層８との間の間隔Ｌ５〜Ｌ７は、突出部５６ａと封着層８間の間隔Ｌ５が一番長く、次いで、突出部５６ｂと封着層８間の間隔Ｌ６，突出部５６ｃと封着層８間の間隔Ｌ７の順に短くなっている。
【００６３】
そして、突出部５６ａ〜５６ｃは、封着層８に対向する面が円弧形に成形されていることによって、各突出部５６ａ〜５６ｃにおいて、それぞれの突出部の頂部と封着層８間の間隔が一番短く、この頂部から突出部の幅方向外側（図８において上方側または下方側）にゆくにしたがって長くなっている。
【００６４】
この各突出部５６ａ〜５６ｃは、５６ａ−５６ｂ−５６ｃ−５６ｂ−５６ａ…というように、封着層８側への突出長さが順に長くなった後に順に短くなって、封着層８との間の間隔が周期的に変化するように配置されている。
隔壁５６と各突出部５６ａ〜５６ｃの頂面は、前面ガラス基板側に形成された保護層の背面に当接されている。
【００６５】
この実施例のＰＤＰは、隔壁５６側部に、封着層８側への突出長さが互いに異なっている突出部５６ａ〜５６ｃが形成されていることによって、各突出部５６ａ〜５６ｃとこの突出部に対向する封着層８との間の共振スパンとなる間隔Ｌ５〜Ｌ７が互いに異なっており、これによって、隔壁５６の端部と封着層８との間の部分に形成される共振モード、すなわち、特定の周波数に集中する構造物の固有振動数が、隔壁５６の部分毎に異なってくる。
【００６６】
さらに、各突出部５６ａ〜５６ｃが円弧形状に成形されていることによって、各突出部５６ａ〜５６ｃにおいて、それぞれの突出部の円弧形の端面に沿って共振スパンとなる封着層８との間の間隔が変化しており、特定の周波数に集中する構造物の固有振動数が、各突出部５６ａ〜５６ｃにおける位置で異なってくる。
【００６７】
これによって、このＰＤＰの特定の周波数に集中する構造物の固有振動数が分散されて特定の共振モードに集中するのが防止されるので、ＰＤＰ全体の共振レベルを低減させて、基板の共振による異音やノイズの発生を抑制することが出来る。
【００６８】
なお、上記においては、突出部５６ａ〜５６ｃが、列方向に沿って突出長さが短い順に配置され次に長い順に配置される周期的な配置になっている例が示されているが、隔壁６Ａ〜６Ｄの配置はこれに限られず、突出長さが短い順に配置された後に再度また短い順に配置される配置や、アットランダムな配置等、種々の配置の態様が可能である。
【００６９】
また、上記においては、突出部の突出長さが三種類の長さに設定されている例が示されているが、これに限らず、突出部の突出長さの種類は任意に設定が可能である。
また、上記においては、各突出部が円弧形状に成形されている例が示されているが、突出部の形状はこの形状に限られることなく、三角形状等の他の形状であっても良い。
また、上記においては、円弧状の突出部が隔壁の左右の側部に形成されている例が示されているが、同様の形状の突出部を、隔壁の上縁部および下縁部の放電セルの列方向の各列に対向する部分毎に形成するようにしても良い。
【００７０】
これによって、隔壁の上部と下部においても、上述した側部の場合と同様に、ＰＤＰの特定の周波数に集中する構造物の固有振動数が分散されて特定の共振モードに集中するのが防止されるので、ＰＤＰ全体の共振レベルをさらに低減させて、基板の共振による異音やノイズの発生を抑制することが出来る。
【実施例３】
【００７１】
図９は、この発明によるＰＤＰの実施形態における第３実施例を示している。
【００７２】
この図９において、各隔壁６６は、それぞれ第１実施例の場合と同様に略梯子形状に成形されていて、列方向に隙間ＳＬ１を介して互いに平行に並設されている。
各隔壁６６の上縁部に、互いに高さが異なる突起部６６ａ〜６６ｃが一体的に形成されている。
【００７３】
この各突起部６６ａ〜６６ｃは、それぞれ外周面が円弧形状に成形されているとともに、隔壁６６からの突出長さが突出部６６ａが一番短く、次いで突出部６６ｂ，６６ｃの順に長くなるように成形されている。
【００７４】
この各突起部６６ａ〜６６ｃの封着層８側への突出長さが異なっていることによって、突起部６６ａ〜６６ｃに対向する封着層８との間の間隔Ｌ８〜Ｌ１０および隙間ＳＬ１を介して隣接する隔壁６６との間の間隔Ｌ１１〜Ｌ１３は、突起部６６ａとの間隔Ｌ８およびＬ１１が一番長く、次いで、突起部６６ｂとの間隔Ｌ９およびＬ１２，突起部６６ｃとの間隔Ｌ１０およびＬ１３の順に短くなっている。
【００７５】
そして、突起部６６ａ〜６６ｃは、外周面が円弧状に成形されていることによって、各突起部６６ａ〜６６ｃにおいて、それぞれの突起部の頂部と封着層８または隣接する他の隔壁６６との間の間隔が一番短く、この頂部から両側にゆくにしたがって長くなっている。
【００７６】
この各突起部６６ａ〜６６ｃは、図示の例では、６６ａ−６６ｂ−６６ｃ−６６ａ−６６ｂ…というように、突出長さが短い順に並んだ配列が繰り返される形態で形成されている。
各隔壁６６と各突起部６６ａ〜６６ｃの頂面は、前面ガラス基板側に形成された保護層の背面に当接されている。
【００７７】
この実施例のＰＤＰは、各隔壁６６の上縁部に、突出長さが互いに異なっている突起部６６ａ〜６６ｃが形成されていることによって、各突起部６６ａ〜６６ｃと対向する封着層８との間の共振スパンとなる間隔Ｌ８〜Ｌ１０、および、各突起部６６ａ〜６６ｃと隙間ＳＬ１を介して対向する隣接する他の隔壁６６との間の共振スパンとなる間隔Ｌ１１〜Ｌ１３が互いに異なっており、これによって、隔壁６６と封着層８との間の部分に形成される共振モード、および、隙間ＳＬ１を介して隣接する他の隔壁６６との間の部分に形成される共振モード、すなわち、特定の周波数に集中する構造物の固有振動数が、隔壁６６の部分毎に異なってくる。
【００７８】
さらに、各突起部６６ａ〜６６ｃの外端面が円弧状に成形されていることによって、各突起部６６ａ〜６６ｃにおいて、それぞれの突起部の円弧形の端面に沿って共振スパンとなる封着層８または隣接する他の隔壁６６との間の間隔が変化しており、特定の周波数に集中する構造物の固有振動数が、各突起部６６ａ〜６６ｃにおける位置で異なってくる。
【００７９】
これによって、このＰＤＰの特定の周波数に集中する構造物の固有振動数が、隔壁６６と封着層８との間のみならず、隙間ＳＬ１を介して互いに隣接する隔壁６６間においても分散されて、特定の共振モードに集中するのが防止されるので、ＰＤＰ全体の共振レベルをさらに低減させて、基板の共振による異音やノイズの発生を抑制することが出来る。
【００８０】
なお、上記においては、突起部６６ａ〜６６ｃの配列は、上記の例に限られず、突起部６６ａ〜６６ｃが、その突出長さが短い順に配置され次に長い順に配置される周期的な配置や、アットランダムな配置等、種々の配置の態様が可能である。
【００８１】
また、上記においては、突起部の突出長さが三種類の長さに設定されている例が示されているが、これに限らず、突起部の突出長さの種類は任意に設定が可能である。
また、上記においては、各突起部の外端面が円弧形状に成形されている例が示されているが、突出部の形状はこの形状に限られることなく、三角形状等の他の形状であっても良い。
また、各突起部６６ａ〜６６ｃは、図示のように列方向に整列された状態で形成されていても良いが、各隔壁６６毎に行方向にずれる態様で形成されるようにしても良い。
さらに、上記において、各隔壁の両端部を第１実施例と同様の形態に成形しても良い。
【００８２】
上記第１および２実施例のＰＤＰは、放電空間を介して対向する前面基板と背面基板との間に、放電空間を単位発光領域毎に区画する隔壁と、放電空間の四方の外周縁に沿って形成されて放電空間を密閉するとともに前面基板と背面基板とを互いに固定する封着層が設けられたプラズマディスプレイパネルにおいて、前記隔壁が、前面基板と背面基板の内の一方の基板上に設けられているとともに、封着層に対向する縁部分に封着層との間隔を隔壁の縁部に沿って変化させる突出部分が形成され、この突出部分が他方の基板側に当接されているＰＤＰを、その上位概念の実施形態としている。
【００８３】
上記第３実施例のＰＤＰは、放電空間を介して対向する前面基板と背面基板との間に、放電空間を単位発光領域毎に区画する隔壁と、放電空間の四方の外周縁に沿って形成されて放電空間を密閉するとともに前面基板と背面基板とを互いに固定する封着層が設けられたプラズマディスプレイパネルにおいて、前記隔壁が、前面基板と背面基板の内の一方の基板上に設けられているとともに、行方向に並ぶ単位発光領域の列毎に略梯子形状に成形されて、隣接する他の隔壁と所要の隙間を介して列方向に互いに平行に並設されており、この略梯子形状の各隔壁の隣接する隔壁に対向する側縁部の少なくとも一方に、隣接する隔壁との間隔を隔壁の側縁部に沿って変化させる突出部分が形成されて、この突出部分が他方の基板側に当接されているＰＤＰを、その上位概念の実施形態としている。
【図面の簡単な説明】
【００８４】
【図１】従来例を示す平面図である。
【図２】図１のII−II線における断面図である。
【図３】この発明の実施形態における第１実施例のＰＤＰを示す平面図である。
【図４】図３のIV−IV線における断面図である。
【図５】同実施例のＰＤＰの振動スペクトラムを示すグラフである。
【図６】振動スペクトラムの比較例を示すグラフである。
【図７】同実施例における隔壁の端面形状の変形例を示す平面図である。
【図８】この発明の実施形態における第２実施例のＰＤＰを示す平面図である。
【図９】この発明の実施形態における第３実施例のＰＤＰを示す平面図である。
【符号の説明】
【００８５】
１    …前面ガラス基板（前面基板）
４    …背面ガラス基板（背面基板）
６，６Ａ，６Ｂ，６Ｃ，６Ｄ，５６，６６  …隔壁
６Ａａ，６Ｂａ，６Ｃａ，６Ｄａ          …端部（突出部分）
８    …封着層
１６ａ，２６ａ，３６ａ，４６ａ  …端面
５６ａ，５６ｂ，５６ｃ          …突出部（突出部分）
６６ａ，６６ｂ，６６ｃ          …突起部（突出部分）
Ｃ                              …放電セル（単位発光領域）
ＳＬ，ＳＬ１                    …隙間
【図１】
2009123652.tif 000003
【図２】
2009123652.tif 000004
【図３】
2009123652.tif 000005
【図４】
2009123652.tif 000006
【図５】
2009123652.tif 000007
【図６】
2009123652.tif 000008
【図７】
2009123652.tif 000009
【図８】
2009123652.tif 000010
【図９】
2009123652.tif 000011